(57)【要約】【課題】冷蔵又は冷凍の環境下にあっても、開封容易性を維持しつつ、クラックなどの不具合の発生を抑えた容器用樹脂蓋を提供する。【解決手段】樹脂容器に対して嵌合及び分離する容器用樹脂蓋であって、周縁に形成された、容器と嵌合するフランジ部と、フランジ部より外周に突出し、容器との嵌合を分離させるための開封用のタブと、を備え、タブは、−３０℃の環境において５０〜８０Ｎの曲げ強度を有する。【選択図】図１
2020045171.tif 000002
【特許請求の範囲】
【請求項１】
樹脂容器に対して嵌合及び分離する容器用樹脂蓋であって、
周縁に形成された、容器と嵌合するフランジ部と、
前記フランジ部より外周に突出し、容器との嵌合を分離させるための開封用のタブと、を備え、
前記タブは、−３０℃の環境において５０〜８０Ｎの曲げ強度を有することを特徴とする容器用樹脂蓋。
【請求項２】
前記蓋を、容器に嵌合させた状態において、
前記タブに対して鉛直上方向に１Ｎの荷重を加えた場合の応力を、線形応力解析にて求めたタブ付根中央部に生ずる最大主応力（Ｃ）とタブ付根のフランジコーナー中央部に生ずる最大主応力（Ｄ）との比（Ｄ／Ｃ）が、２．０〜４．５である、請求項１の容器用樹脂蓋。
【請求項３】
前記タブの容器との嵌合を分離する際の力が、−１８℃の環境において１０〜３０Ｎである、請求項１又は２の容器用樹脂蓋。
【発明の詳細な説明】
【技術分野】
【０００１】
本発明は、樹脂容器と嵌合及び分離させることが可能な容器用樹脂蓋に関する。
【背景技術】
【０００２】
従来、食品を保存するための容器として、樹脂製の蓋付き容器が知られている。このような蓋付き容器は、容器と蓋各々の周縁に凹状又は凸状のフランジ部が形成され、これら凹状又は凸状のフランジ部が嵌合し、嵌合が分離され着脱可能な構成となっている。
【０００３】
このような容器用蓋には、フランジ部の嵌合を分離させて開封し易くするため、フランジ部の外周に蓋を分離させる際の摘まみとなるタブを設けている。そして、蓋の開封を容易にするため、タブの形状、サイズ、樹脂材料についての工夫が従来種々行われており、例えば、タブを堅くしつつ、開封時にタブにかかる応力に耐え得るため補強部材を設けるなどの技術が知られている（特許文献１参照。）。
【先行技術文献】
【特許文献】
【０００４】
【特許文献１】特表２００２−５１８２６５号公報
【発明の概要】
【発明が解決しようとする課題】
【０００５】
ところで、こうした蓋付きの容器は、食品等を収納したのち、冷蔵庫や冷凍庫において保管され、食品を利用する際に冷蔵庫や冷凍庫から冷却された状態で取り出され、電子レンジで加熱するために開封するなどの使用が一般に想定される。冷蔵庫や冷凍庫から取り出された蓋付き容器は、容器自体が冷却されていることから、樹脂自体が硬くなり、常温時とは蓋の開封の堅さが異なる。また、特に冷凍庫から取り出された容器は、嵌合した容器と蓋との隙間に、食品の水分が固まって容器と蓋とを密着させる等の影響もあり、嵌合がより堅くなりやすく、蓋を開封する際にタブとフランジ部の間にクラックが入るなどの不具合が発生することがあった。
【０００６】
本発明の目的のひとつは、冷蔵又は冷凍の環境下において、開封容易性を維持しつつ、クラックの発生などの不具合を防止した容器用樹脂蓋を提供することにある。
【課題を解決するための手段】
【０００７】
上記課題を解決するため、分離時の樹脂蓋の変形状況を観察したところ、樹脂蓋のタブ付根のフランジ部付近（図１Ｂ近傍）を起点にクラックが発生することを見出し、本発明を完成するに至った。
【０００８】
本発明の容器用樹脂蓋は、樹脂容器に対して嵌合及び分離する容器用樹脂蓋であって、周縁に形成された、容器と嵌合するフランジ部と、フランジ部より外周に突出し、容器との嵌合を分離させるための開封用のタブと、を備え、前記タブは、−３０℃の環境において５０〜８０Ｎの曲げ強度を有することを特徴とする。
【０００９】
以上の態様では、樹脂蓋のタブ付根のフランジ部付近（図１Ｂ近傍）のクラックの発生を抑えることが可能になり、また、同時に蓋の開け易さを確保できる。すなわち、タブの曲げ強度が低ければ低いほど、タブは弾性変形しやすくなり、タブ付根のフランジ部付近で応力集中がなくなるため、当該領域にクラックが発生する可能性は低くなる一方で、開封時にタブが曲がってしまってフランジ部を分離させるのに十分な力が伝わらなくなる。他方で、タブの曲げ強度が高ければ高いほど、タブは堅くなることになるため、タブ付根のフランジ部付近で応力集中が生じ、当該領域にクラックが発生する可能性が高くなる。本態様では、家庭での冷凍環境より温度の低い、−３０℃の環境において、タブの曲げ強度を５０〜８０Ｎとすることで、開封に適した弾性を有しつつ、タブ付根のフランジ部付近での過度な応力の集中をさせないタブを構成したものである。
【００１０】
本発明の別の態様は、前記蓋を、容器に嵌合させた状態（蓋を容器に固定させた状態）において、前記タブに対して鉛直上方向に１Ｎの荷重を加えた場合の応力を、線形応力解析にて求めた、タブ付根中央部（図１Ｃ）に生ずる最大主応力と、タブ付根のフランジコーナー中央部（図１Ｄ）に生ずる最大主応力との比（タブ付根のフランジコーナー中央部に生ずる最大主応力／タブ付根中央部に生ずる最大主応力）が、２．０〜４．５である。
【００１１】
この態様は、上記態様で特定したタブの曲げ強度と同様の効果を得ることができ、開封に適した弾性を有しつつ、蓋開けの際にタブ付根のフランジ部付近に過度な応力を集中させないタブを構成することが可能である。
【００１２】
本発明の別の態様は、タブの容器との嵌合を分離する際の力が、−１８℃の環境において１０〜３０Ｎである。
【００１３】
以上の態様では、家庭での冷凍環境を想定した−１８℃の環境において、蓋開けの際にタブ付根のフランジ部付近に過度な応力を集中させず、当該フランジ部付近におけるクラックの発生を防止することが可能になる。
【発明の効果】
【００１４】
本発明によれば、冷蔵又は冷凍の環境下にあっても、開封容易性を維持しつつ、クラックなどの不具合の発生を抑えた容器用樹脂蓋を提供することが可能になる。
【図面の簡単な説明】
【００１５】
【図１】本実施形態の容器用樹脂蓋の全体構成を示す平面図（Ａ）及び断面図（Ｂ）である。
【図２】本実施形態の容器用樹脂蓋のタブ面積を変更した例を示す図である。
【図３】本実施形態の容器用樹脂蓋のタブ近傍のフランジ部の形状を変更した例を示す図である。
【発明を実施するための形態】
【００１６】
以下、本発明を好適な実施の形態（以下「本実施形態」という。）をもとに図面を参照しながら説明する。各図面に示される同一または同等の構成要素、部材、処理には、同一の符号を付するものとし、適宜重複した説明は省略する。また、本実施形態は、発明を限定するものではなく例示であって、本実施形態に記述されるすべての特徴やその組み合わせは、必ずしも発明の本質的なものであるとは限らない。
【００１７】
本実施形態の容器用樹脂蓋１の構成について、図１を用いて説明する。図１は、容器用樹脂蓋１の全体構成を示す平面図（Ａ）及び断面図（Ｂ）である。
【００１８】
容器用樹脂蓋１は、全体が横長の方形状であり、樹脂容器に対して着脱自在であって、フランジ部１１と、フランジ部１１の外周に突出したタブ１２と、を備える。なお、本実施形態において容器用樹脂蓋１を横長の方形状で表しているが、容器用樹脂蓋１の形状はこれに限られず、正方形状でもよく、円形や多角形で形成してもよい。
【００１９】
容器用樹脂蓋１は、熱可塑性の樹脂により成形されており、好適にはプロピレン系樹脂を主とする樹脂が用いられる。プロピレン樹脂としては、プロピレンから誘導される単量体単位の含有量が５１重量％ 以上、好ましくは、８０重量％ 以上である重合体である。プロピレン系樹脂は、プロピレン以外のオレフィンから誘導される単量体単位を含有していてもよく、該プロピレン以外のオレフィンとしては、エチレン、１ − ブテン、１ − ペンテン、１ − ヘキセン、４ − メチル− １ − ペンテン、１ − オクテン、１ − デセンなどがあげられる。プロピレン系樹脂としては、たとえば、プロピレン単独重合体、エチレン− プロピレン共重合体、プロピレン− １ − ブテン共重合体、プロピレン− １ − ヘキセン共重合体、プロピレン− １ − オクテン共重合体、プロピレン− エチレン− １ − ブテン共重合体、エチレン− プロピレン− １ − ヘキセン共重合体などがあげられ、これらは、１ 種または２ 種以上のホモポリマー、コポリマー等が用いられる。望ましくは、プロピレン系樹脂に、必要に応じてエラストマーを加えて適度な柔軟性を持たせるよう成形されている。好適なエラストマーとしては、エチレン−α―オレフィン系共重合体ゴムやスチレンーブタジエン系共重合体ゴムが用いられる。容器用蓋１の材料は、これに限られず、ポリアミド、ポリアクリル酸、ポリアリーレート、ポリカーボネート、ポリエステル、ポリエーテルイミド、ポリエーテルケトン、ポリオレフィン、ポリフェニレン、ポリ塩化ビニルなど、周知の熱可塑性樹脂から任意に選択することができる。滑り剤、結晶核剤、帯電防止剤、耐熱安定剤、酸化防止剤、離型剤、顔料等の種々の添加剤を加えることができる。
【００２０】
フランジ部１１は、周縁に底面側より凹状もしくは凸状に形成され、この凹状、凸状部分が樹脂容器側のフランジ部の凸状もしくは凹状と嵌合及び分離することで、樹脂容器に対して容器用樹脂蓋１の着脱を可能にするものである。
【００２１】
タブ１２は、フランジ部１１のＲ状のコーナー部１１Ａのひとつに形成されている。タブ１２は、フランジ部１１より外周に突出し、容器との嵌合を分離させ容器用樹脂蓋１を開封する際に、利用者の摘まみとなる。タブ１２は、フランジ部１１のＲ状のコーナー部１１Ａのうち少なくともひとつに形成されていればよく、他のコーナー部にも形成し、複数としてもよい。
【００２２】
本実施形態では、タブ１２を以下の条件を満たす形状としている。すなわち、タブ１２の曲げ強度が、−３０℃の環境において、５０〜８０Ｎとなる形状としている。より望ましくは、この曲げ強度が、６０〜８０Ｎとなる形状である。なお、タブ１２の曲げ強度の測定は、冷凍でのタブを支点にした開封方法を再現するため、容器用樹脂蓋１のタブ１２の下方から、鉛直方向へ冶具で押し、フランジ部１１のＲ状のコーナー部１１Ａから変形させることで、その値を測定する。その際、タブ１２がフランジ部１１のＲ状のコーナー部１１Ａから変形する様に、図１（Ａ）に示す二点鎖線Ｅを境界として、この二点鎖線Ｅよりもタブ１２と反対の側の部分を金属板２枚で挟んで固定する。
【００２３】
ここで、クラックの発生が懸念されるタブ付根のフランジ部付近とは、図１（Ａ）に破線で囲って領域Ｂとして示す領域である。容器用樹脂蓋１を容器から分離させる際に、タブ１２を摘まみとして持ち上げた場合、タブ付根のフランジ部付近（図１Ｂ近傍）に応力が集中し、これを起点にクラックが発生する。本発明のタブ１２は、このクラックが発生しない形状として設計したものである。
【００２４】
このように、タブ１２の曲げ強度を、−３０℃環境において５０〜８０Ｎとなるようにタブの形状を設定する。より具体的には、タブの高さＨ（図１（Ａ）参照）又はタブ半径Ｒ（図２参照）を設定する。これにより、タブ付根のフランジ部付近（図１Ｂ近傍）におけるクラックの発生を抑えることが可能になり、また、同時に蓋の開け易さを確保できる。
【００２５】
すなわち、タブ１２の曲げ強度が低ければ低いほど、タブ１２は弾性変形しやすくなり、タブ付根のフランジ部付近（図１Ｂ近傍）で応力集中がなくなるため、領域Ｂにクラックが発生する可能性は低くなる一方で、開封時にタブ１２が曲がってしまってフランジ部１１を分離させるのに十分な力が伝わらなくなる。他方で、タブ１２の曲げ強度が高ければ高いほど、タブ１２は堅くなることになるため、タブ付根のフランジ部付近（図１Ｂ近傍）で応力集中が生じ、領域Ｂにクラックが発生する可能性が高くなる。
【００２６】
本実施形態では、家庭での冷凍環境より温度の低い、−３０℃の環境において、タブ１２の曲げ強度を５０〜８０Ｎとすることで、開封に適した弾性を有しつつ、タブ付根のフランジ部付近（図１Ｂ近傍）での過度な応力集中をさせないようにした。
【００２７】
また、タブ１２の形状を、タブ１２の曲げ強度が６０〜８０Ｎとなるようにした場合には、クラックの発生を防止しつつ、さらなる開け易さを維持することが可能である。
【００２８】
また、容器用樹脂蓋１を容器に嵌合固定させた状態において、タブ１２を、下方から鉛直上方向に１Ｎの荷重を加えた場合の応力を、線形応力解析にて求めた、タブ付根中央部（Ｃ）に生ずる最大主応力（図１（Ａ）参照）と、タブ付根のフランジコーナー中央部（Ｄ）に生ずる最大主応力（同図１（Ａ）参照）との応力比（タブ付根のフランジコーナー中央部に生ずる最大主応力／タブ付根中央部に生ずる最大主応力）が、２．０〜４．５となるようにしたものである。より望ましくは、この応力比は、３．５〜４．５である。
【００２９】
タブ付根中央部（Ｃ）に生ずる最大主応力と、タブ付根のフランジコーナー中央部（Ｄ）に生ずる最大主応力との応力比（タブ付根のフランジコーナー中央部に生ずる最大主応力／タブ付根中央部に生ずる最大主応力）の特定により、タブの曲げ強度と同様に、開封に適した弾性を有しつつ、タブ付根のフランジ部付近（図１Ｂ近傍）での過度な応力の集中をさせないタブを構成することが可能である。
【００３０】
また、タブ１２は、家庭での冷凍環境を想定した−１８℃の環境において、タブの容器との嵌合を分離する際の力が１０〜３０Ｎとなるものである。より望ましくは、この力は、１０〜１５Ｎとなるものである。
【００３１】
タブ１２を−１８℃の環境において、タブの容器との嵌合を分離する際の力が１０〜３０Ｎとなるようにその形状を設定することによっても、フランジ部付近（図１Ｂ近傍）におけるクラックの発生を抑えることが可能になり、同時に蓋の開け易さを維持することが可能である。
【００３２】
さらに好ましくは、１０〜１５Ｎとなる様に、タブ近傍のフランジ部１１の内周面側において溝を形成しない範囲（溝無し部）を設ける（図３に太い破線で示す範囲を参照）ことで、蓋開けを更に容易にすることができる。なお、１０Ｎ未満では蓋がしっかりと閉まらないなどの不具合が発生する。
【００３３】
このように、家庭での冷凍環境を想定した−１８℃の環境において、容器との嵌合を分離する際のタブ１２の力を１０〜３０Ｎとすることで、タブ付根のフランジ部付近（図１Ｂ近傍）に過度な応力を集中させず、領域Ｂにおけるクラックの発生を防止することが可能になる。
【実施例１】
【００３４】
以下の実施例及び比較例により本発明をさらに詳しく説明するが、本発明は以下の実施例により何ら限定されるものではない。
【００３５】
実施例及び比較例として、本実施形態の容器用樹脂蓋１におけるタブの形状とその他の形状について、（１）タブの曲げ強度測定、（２）最大主応力及び応力比の解析、（３）タブ付根のフランジ部付近（図１Ｂ近傍）におけるクラックの発生率の確認、クラック発生に対する主観的評価、（４）蓋の開封力の評価、（５）蓋の開けやすさの主観的評価の５つの観点から評価した。
【００３６】
容器用樹脂蓋のタブの形状の例として、タブの平面の面積を一定としてタブ高さＨ（図１（Ａ）参照）を変更した例（表１、表２におけるＮｏ．１〜１３）と、タブの高さＨを一定としてタブの平面の面積を変更するためＲ形状部分の半径Ｒ（図２参照）を変更した例（表３におけるＮｏ．１４〜１６）と、フランジ部の内周面において溝を形成しない範囲（図３参照）を変更した例（表４におけるＮｏ．１７〜Ｎｏ．２１）とにおいて、上記（１）〜（５）の評価を行った。
【００３７】
具体的には、プロピレン系樹脂―Ａ（ＰＰ樹脂―Ａ）を用いた、厚み０．６５ｍｍの樹脂シート（引張弾性率：７５０ＭＰａ）を使用し、タブ高さを変更した実施例として、２．０ｍｍ（実施例１）、２．６ｍｍ（実施例２）、３．６ｍｍ（実施例３）、３．８ｍｍ（実施例４及び５）とした。なお、実施例５では、ＰＰ樹脂―Ａにエラストマー（エチレン−１−ブテン共重合体）を１０ｗｔ％添加した、厚み０．６５ｍｍの樹脂シート（引張弾性率７１０ＭＰａ）を使用した。また、タブ高さを変更した比較例として、ＰＰ樹脂―Ａを用いた、厚み０．６５ｍｍの樹脂シート（引張弾性率：７５０ＭＰａ）を使用し、タブ高さを０ｍｍ（比較例１）、７．０ｍｍ（比較例２）とした。なお、これら実施例及び比較例のタブの長さは１５ｍｍとした。
【００３８】
また、弾性率の異なる樹脂シートとして、プロピレン系樹脂―Ｂ（ＰＰ樹脂―Ｂ）を用いた、厚み０．６５ｍｍの樹脂シート（引張弾性率６８０ＭＰａ）を用い、タブ高さを変更した実施例として、３．４ｍｍ（実施例６）、３．８ｍｍ（実施例７）、４．０ｍｍ（実施例８）、４．３ｍｍ（実施例９）とし、同比較例として、タブ高さ０ｍｍ（比較例３）、７．０ｍｍ（比較例４）とした。なお、これら実施例及び比較例のタブの長さは１５ｍｍとした。
【００３９】
次に、タブの平面の面積を変更した実施例として、ＰＰ樹脂―Ａを用いた、厚み０．６５ｍｍの樹脂シート（引張弾性率：７５０ＭＰａ）を使用し、タブの半径Ｒを１５ｍｍ（実施例１０）、１７ｍｍ（実施例１１）とした。また、比較例として、タブの半径Ｒを２０ｍｍ（比較例５）とした。なお、これら実施例及び比較例のタブの高さは４．８ｍｍとした。
【００４０】
さらに、ＰＰ樹脂―Ａを用いた、厚み０．６５ｍｍの樹脂シート（引張弾性率：７５０ＭＰａ）を使用し、タブ近傍のフランジ部１１の内周面側において、溝を形成しない範囲について変更した実施例として、溝を形成した例（実施例１２）、この溝を形成しない範囲５ｍｍ（実施例１３）、１０ｍｍ（実施例１４）、１５ｍｍ（実施例１５）、２０ｍｍ（実施例１６）とした。なお、これらの実施例においてタブ高さは３．４ｍｍとし、タブの長さは１５ｍｍとした。
【００４１】
ここで上記の樹脂シートの引張弾性率及び、（１）〜（５）の評価方法について詳述する。樹脂シートの引張弾性率については、ＪＩＳ  Ｋ７１６１に沿って行った。すなわち、つかみ具間距離１００ｍｍ、幅１０ｍｍで測定できる様に試験片を短冊形に切り出し、引張圧縮試験機（島津製作所製オートグラフ）のつかみ具に取り付けて、室温２３℃、湿度５０％ＲＨの環境下で、引張速度１ｍｍ／分で測定を行った。ｎ数は樹脂シートの長手方向と幅方向にそれぞれ５点とし、全ての平均値を求めた。なお、引張弾性率の値は、以下の計算式で求めた。
Ｅ＝（σ２−σ１）／（ε２−ε１）
ここに、Ｅ：引張弾性率（ＭＰａ）
ε１（歪み１）：０．０００５（試験片の増加量０．０５ｍｍ／つかみ具間距離１００ｍｍ）
ε２（歪み２）：０．００２５（試験片の増加量０．２５ｍｍ／つかみ具間距離１００ｍｍ）
σ１：歪みε１における応力（ＭＰａ）
σ２：歪みε２における応力（ＭＰａ）
【００４２】
（１）タブの曲げ強度については、冷凍保管品のタブを支点にした開封方法を再現するため、温度−３０℃において、タブ１２がフランジ部１１のＲ状のコーナー部１１Ａから変形する様に、図１（Ａ）に示す二点鎖線Ｅを境界として、この二点鎖線Ｅよりもタブ１２と反対の側の部分を金属板２枚で挟んで固定し、引張圧縮試験機（島津製作所製オートグラフ）に取り付け、タブ１２の下方から、直径１５ｍｍの先端を球状に加工した押し込み棒により、速度１０００ｍｍ／分で鉛直方向に押した時の力の最大値を測定した。ｎ数は１０で、全ての平均値を求めた。
【００４３】
（２）最大主応力及び応力比の解析については、コンピュータによるシミュレーションであるＣＡＥ（Computer Aided Engineering）解析により行った。具体的には、ソフトウェアとしてＡｂａｑｕｓを用い、線形応力解析により行った。条件として、容器用蓋を容器と嵌合固定させたものとして、タブの下方から鉛直方向に１Ｎの荷重を加えた場合とし、材料をポリプロピレン（ヤング率：８９６ＭＰａ、ポアソン比：０．４１０）、厚みを０．６５ｍｍとし、タブ付根中央部（Ｃ）に生ずる最大主応力（図１（Ａ）参照）と、タブ付根のフランジコーナー中央部に生ずる（Ｄ）に生ずる最大主応力（同図１（Ａ）参照）、及び、その応力比（タブ付根のフランジコーナー中央部に生ずる最大主応力／タブ付根中央部に生ずる最大主応力）を求めた。
【００４４】
（３）タブ付根のフランジ部付近（図１Ｂ近傍）におけるクラックの発生率の確認は、容器に水を入れて蓋をし、冷凍庫（−１８℃環境）に１日保管した後に、冷凍庫から取り出してから０．５分後において、容器用蓋を開放した場合のクラックの有無で行った。（ｎ数＝１０）この場合の開封方法は、試験者がタブのみを摘まんで持ち上げて開封する方法を採用した。クラック評価の基準は以下のとおり、タブ付根のフランジ部付近（図１Ｂ近傍）におけるクラックの発生が１０回中に何回あったかによるものとした。
○：０〜１回
△：２〜３回
×：４回以上
【００４５】
（４）開封力の評価では、容器に水を入れて蓋をし、冷凍庫（−１８℃環境）で１日保管した後に、冷凍庫から取り出してから０．５分後において、２５℃の環境下で、フォースゲージでタブを持ち上げて、蓋が容器から分離するときに要する力の最大値を測定した。ｎ数は１０で、全ての平均値を求めた。蓋の開け易さの判断については、以下のとおり、タブ付根が変形して蓋の開封が出来なかった回数が１０回中に何回あったかによるものとした。
◎：０回
○：１回
△：２〜３回
×：４回以上
【００４６】
以上の評価の結果について、タブ高さを変更したものを表１、表２に示し、タブの面積を変更したものを表３に示し、タブ近傍のフランジ部の形状を変更したものを表４に示す。
【００４７】
【表１】
2020045171.tif 000003
【００４８】
【表２】
2020045171.tif 000004
【００４９】
【表３】
2020045171.tif 000005
【００５０】
【表４】
2020045171.tif 000006
【００５１】
表１乃至表４によれば、タブ１２の曲げ強度が、−３０℃の環境において５０〜８０Ｎとなるタブの高さ、タブの面積又は溝を形成しない範囲に設定された実施例１〜１６は、いずれもクラック発生評価において「〇」の評価となっていることがわかる。また、実施例１〜１６は、いずれもタブ１２を、タブの下方から鉛直方向に１Ｎの荷重を加えた場合の応力を、線形応力解析にて求めた、タブ付根中央部（Ｃ）と、タブ付根のフランジコーナー中央部（Ｄ）との応力比（タブ付根のフランジコーナー中央部に生ずる最大主応力／タブ付根中央部に生ずる最大主応力）が、２．０〜４．５となるようになっていることがわかる。さらに、これらの実施例１〜１６は、蓋の開け易さに関する官能評価においても「◎」、「〇」、「△」の評価となっており、開け易さも一定程度確保されていることがわかる。
【００５２】
さらに、タブ１２は、−１８℃の環境において、容器との嵌合を分離する際の力（開封力）が１０〜３０Ｎとなる実施例１〜１０においても、同様に、クラック発生評価において「〇」の評価となっている。また、これらの実施例１〜１０は、蓋の開け易さに関する官能評価においても「〇」又は「△」の評価となっており、開け易さも一定程度確保されていることがわかる。
【００５３】
さらに、タブ１２の曲げ強度が、−３０℃の環境において６０〜８０Ｎとなるタブの高さに設定され、容器との嵌合を分離する際の力が１０〜１５Ｎとなるように、タブ近傍のフランジ部１１の内周面側において溝を形成しない範囲（溝無し部）を設けた実施例１５及び１６は、蓋の開け易さに関する官能評価において「◎」の評価となっており、開け易さが更に良くなっていることがわかる。
【符号の説明】
【００５４】
１  容器用蓋、１１  フランジ部、１１Ａ  コーナー部、１２  タブ、Ｂ  領域、Ｃ  タブ付根中央部、Ｄ  タブ付根のフランジコーナー中央部、Ｅ  境界、Ｈ  タブ高さ、Ｌ  タブ長さ、Ｒ  タブ半径
【図１】
2020045171.tif 000007
【図２】
2020045171.tif 000008
【図３】
2020045171.tif 000009